(57)【要約】【課題】ＧＰＳシステムを搭載していない携帯端末を用いた場合であっても、また、携帯端末が屋内等ＧＰＳシステムの電波を受信できないエリアに存在する場合であっても、携帯端末に対して撮影した画像に関する情報を提供する。【解決手段】ユーザ端末１０と通信を行う複数のＦｅｍｔｏ基地局２０−１と、Ｆｅｍｔｏ基地局２０―１〜２０―ｎを介してユーザ端末１０から送信されてきた画像と、その画像を中継したＦｅｍｔｏ基地局の位置情報とに基づいて、ユーザ端末１０から送信されてきた画像に関する情報をデータベース３５から検索してユーザ端末１０に送信する情報提供装置３０とを有する。【選択図】図１
2011129984.tif 000002
【特許請求の範囲】
【請求項１】
携帯端末にて撮影した画像に関する情報を提供する情報案内システムであって、
前記携帯端末と通信を行う複数のＦｅｍｔｏ基地局と、
前記Ｆｅｍｔｏ基地局を介して前記携帯端末から送信されてきた画像と、該画像を中継したＦｅｍｔｏ基地局の位置情報とに基づいて、当該画像に関する情報をデータベースから検索して前記携帯端末に送信する情報提供装置とを有する情報案内システム。
【請求項２】
請求項１に記載の情報案内システムにおいて、
前記データベースには、前記携帯端末に提供可能な情報が、該情報に関する画像を含んで、該画像の対象物が存在する位置を特定可能に登録され、
前記情報提供装置は、
前記携帯端末にて撮影された画像が前記Ｆｅｍｔｏ基地局を介して送信されてきた場合、前記データベースの中から当該Ｆｅｍｔｏ基地局の位置情報に応じて特定される位置に存在する対象物に関する情報を検索する位置情報管理部と、
前記携帯端末から送信されてきた画像と、前記位置情報管理部にて検索された情報に含まれる画像とを照合することにより、前記携帯端末から送信されてきた画像に関する情報を検索する画像認識部と、
前記位置情報管理部及び前記画像認識部を制御し、前記画像認識部にて検索された情報を前記携帯端末に送信する制御部とを有する情報案内システム。
【請求項３】
請求項２に記載の情報案内システムにおいて、
前記制御部は、前記携帯端末から予め送信されてきた背景画像と、前記データベースから検索された情報に含まれる画像とを合成して前記携帯端末に送信する情報案内システム。
【請求項４】
請求項２または請求項３に記載の情報案内システムにおいて、
前記制御部は、前記携帯端末から前記対象物の名称が送信されてきた場合、該名称を中継したＦｅｍｔｏ基地局の位置情報に基づいて前記携帯端末の位置を特定し、該位置から前記対象物が存在する位置までの経路情報を送信する情報案内システム。
【発明の詳細な説明】
【技術分野】
【０００１】
本発明は、携帯端末にて撮影された画像に関する情報を提供する情報案内システムに関する。
【背景技術】
【０００２】
水族館や動物園等において魚や動物等を画像認識する画像認識装置が提案されており、例えば、特許文献１に開示されている。ところが、このような画像認識装置においては、固定端末からの制御であり、可搬することが想定されていない。
【０００３】
また、各展示物の近傍に位置情報出力部を設置し、それにより、展示物に関する情報を案内する情報提供／収集システムが提案されており、例えば、特許文献２に開示されている。ところが、このような情報提供／収集システムにおいては、情報収集のために、各展示物の近傍に位置情報出力部をわざわざ設置する必要がある。
【０００４】
ここで、携帯情報機器にて撮影した画像を、ＧＰＳシステムによって取得した携帯情報機器の位置情報とともにサービスサーバに送信すると、サービスサーバにおいて、携帯情報機器の位置情報と画像とに基づいて情報を検索し、検索した情報を提供する技術が考えられ、例えば、特許文献３に開示されている。この技術によれば、上述した２つの技術の問題は解決される。
【先行技術文献】
【特許文献】
【０００５】
【特許文献１】特開平７−２４９０４８号公報
【特許文献２】特開２００１−２０９８８１号公報
【特許文献３】特開２００８−２５０４７４号公報
【発明の概要】
【発明が解決しようとする課題】
【０００６】
しかしながら、上述したようなＧＰＳシステムによって取得した位置情報を用いるものにおいては、ＧＰＳシステムを搭載していない携帯端末を用いてサービスを受けることができず、また、屋内等のＧＰＳシステムの電波を受信できないエリアにおいてもサービスを受けることができないという問題点がある。
【０００７】
本発明は、上述したような技術が有する問題点に鑑みてなされたものであって、ＧＰＳシステムを搭載していない携帯端末を用いた場合であっても、また、携帯端末が屋内等のＧＰＳシステムの電波を受信できないエリアに存在する場合であっても、携帯端末に対して撮影した画像に関する情報を提供することができる情報案内システムを提供することを目的とする。
【課題を解決するための手段】
【０００８】
上記目的を達成するために本発明は、
携帯端末にて撮影した画像に関する情報を提供する情報案内システムであって、
前記携帯端末と通信を行う複数のＦｅｍｔｏ基地局と、
前記Ｆｅｍｔｏ基地局を介して前記携帯端末から送信されてきた画像と、該画像を中継したＦｅｍｔｏ基地局の位置情報とに基づいて、当該画像に関する情報をデータベースから検索して前記携帯端末に送信する情報提供装置とを有する。
【発明の効果】
【０００９】
本発明は、携帯端末と通信を行う複数のＦｅｍｔｏ基地局と、Ｆｅｍｔｏ基地局を介して携帯端末から送信されてきた画像と、その画像を中継したＦｅｍｔｏ基地局の位置情報とに基づいて、携帯端末から送信されてきた画像に関する情報をデータベースから検索して携帯端末に送信する情報提供装置とを有する構成としたため、ＧＰＳシステムを搭載していない携帯端末を用いた場合であっても、また、携帯端末が屋内等のＧＰＳシステムの電波を受信できないエリアに存在する場合であっても、携帯端末に対して撮影した画像に関する情報を提供することができる。
【図面の簡単な説明】
【００１０】
【図１】本発明の情報案内システムの実施の一形態を示す図である。
【図２】図１に示した情報案内システムにおける処理の流れを説明するためのフローチャートである。
【発明を実施するための形態】
【００１１】
以下に、本発明の実施の形態について図面を参照して説明する。
【００１２】
図１は、本発明の情報案内システムの実施の一形態を示す図である。
【００１３】
本形態は図１に示すように、画像を撮影可能な携帯端末であるカメラ付き携帯電話のようなユーザ端末１０と、ユーザ端末１０と通信を行う複数のＦｅｍｔｏ基地局２０−１〜２０−ｎと、ネットワーク４０を介してＦｅｍｔｏ基地局２０−１〜２０−ｎと接続され、Ｆｅｍｔｏ基地局２０−１〜２０−ｎを介してユーザ端末１０から送信されてきた画像と、その画像を中継したＦｅｍｔｏ基地局の位置情報とに基づいて、ユーザ端末１０から送信されてきた画像に関する情報をデータベース３５から検索してユーザ端末１０に送信する情報提供装置３０とから構成されている。なお、ユーザ端末１０は、１つしか図示していないが、Ｆｅｍｔｏ基地局２０−１〜２０−ｎの通信エリア内に複数存在している。
【００１４】
Ｆｅｍｔｏ基地局２０−１〜２０−ｎは、本形態の情報案内システムによって情報が提供される水族館の館内や動物園の園内等に設置され、それぞれが、半径数１０ｍ程度のＰｉｃｏセルを形成している。なお、本形態においては、動物園の園内に、動物の飼育エリア毎に設置されているものとする。
【００１５】
情報提供装置３０は、ユーザ端末１０の利用者情報を管理する利用者情報管理部３１と、動物園にて飼育され、ユーザ端末１０に提供可能な動物に関する情報である動物の名前や生息域等の説明情報が、その動物の画像を含んで、その動物が飼育されている位置を特定可能に登録されたデータベース３５と、ユーザ端末１０にて撮影された画像がＦｅｍｔｏ基地局２０−１〜２０−ｎを介して送信されてきた場合、データベース３５の中から、ユーザ端末１０にて撮影された画像を中継したＦｅｍｔｏ基地局の位置情報に応じて特定される位置にて飼育される動物に関する情報を検索する位置情報管理部３３と、ユーザ端末１０から送信されてきた画像と、位置情報管理部３３にて検索された情報に含まれる画像とを照合することにより、ユーザ端末１０から送信されてきた画像に関する情報をデータベース３５から検索する画像認識部３２と、位置情報管理部３３及び画像認識部３２を制御し、画像認識部３２にて検索された情報をユーザ端末１０に送信する制御部３４とから構成されている。
【００１６】
以下に、上記のように構成された情報案内システムにおける処理の流れを説明する。
【００１７】
図２は、図１に示した情報案内システムにおける処理の流れを説明するためのフローチャートである。
【００１８】
まず、ユーザ端末１０の利用者は、情報提供装置３０に対してユーザ登録を行う。ユーザ登録にて登録された利用者情報は、利用者情報管理部３１にて管理される。また、ユーザ端末１０の利用者は、ユーザ端末１０のカメラのフラッシュｏｆｆ等の設定が可能なプログラムを情報提供装置３０からダウンロードすることもできる。
【００１９】
ユーザ端末１０の利用者は、動物園の園内において、詳細を知りたい動物がいた場合、ユーザ端末１０のカメラでその動物の画像を撮影し、上り高速信号を用いて送信する（ステップＳ１）。
【００２０】
ユーザ端末１０から送信された動物の画像は、動物園の園内に設置されたＦｅｍｔｏ基地局２０−１〜２０−ｎのうち、ユーザ端末１０が存在する領域にＰｉｃｏセルを形成するＦｅｍｔｏ基地局２０−１を介して送信され（ステップＳ２）、情報提供装置３０にて受信される（ステップＳ３）。この際、Ｆｅｍｔｏ基地局２０−１からは、ユーザ端末１０から送信された画像とともに、このＦｅｍｔｏ基地局２０−１の位置情報も送信され、情報提供装置３０にて受信される。
【００２１】
ユーザ端末１０から送信された画像とこの画像を中継したＦｅｍｔｏ基地局２０−１の位置情報とが情報提供装置３０にて受信されると、まず、制御部３４の制御によって、位置情報管理部３３において、データベース３５の中から、ユーザ端末１０から送信された画像を中継したＦｅｍｔｏ基地局２０−１の位置情報に応じて特定される位置にて飼育される動物に関する情報が検索される（ステップＳ４）。ここで、データベース３５においては、上述したように、ユーザ端末１０に提供可能な動物に関する情報が、その動物が飼育されている位置を特定可能に登録されているため、位置情報管理部３３においては、データベース３５からＦｅｍｔｏ基地局２０−１の位置情報に応じて特定される位置にて飼育される動物に関する情報を検索することができる。
【００２２】
次に、画像認識部３２において、ユーザ端末１０から送信されてきた画像と、位置情報管理部３３にてデータベース３５から検索された情報に含まれる画像とが照合され（ステップＳ５）、データベース３５に登録された情報の中から、その情報に含まれる画像がユーザ端末１０から送信されてきた画像とマッチングする情報が検索される（ステップＳ６）。データベース３５には、上述したように、動物園の園内にて飼育される動物の名前や生息域等の説明情報が動物の画像とともに登録されているため、ユーザ端末１０にて撮影された画像の動物の名前や生息域等の説明情報が、データベース３５に予め登録された動物の画像とともに検索されることになる。
【００２３】
その後、制御部３４において、画像認識部３２にてデータベース３５から検索された説明情報と画像が送信され（ステップＳ７）、その説明情報と画像はＦｅｍｔｏ基地局２０−１を介して下り高速信号を用いてユーザ端末１０に送信され（ステップＳ８）、ユーザ端末１０にて受信、表示される（ステップＳ９）。ユーザ端末１０にて受信された情報は、ユーザ端末１０に保存することができる。
【００２４】
これにより、ユーザ端末１０の利用者は、ユーザ端末１０にて撮影した動物について、データベース３５に予め登録されたきれいな画像と、動物の名前や生息域等の説明情報を取得することができる。
【００２５】
このように本形態においては、半径数１０ｍ程度のＰｉｃｏセルを形成するＦｅｍｔｏ基地局２０−１〜２０−ｎを動物の飼育エリア毎に設置し、ユーザ端末１０にて撮影された動物の画像をこのＦｅｍｔｏ基地局２０−１〜２０−ｎを介して情報提供装置３０に送信する構成としたため、情報の高速通信が可能となって利用者の転送待ち時間を短縮することができるとともに、ユーザ端末１０のおおよその位置を特定することができる。そして、データベース３５に登録された情報の中から、その位置に応じた情報を検索することによって、その後の画像照合による検索効率を向上させることができる。そして、ＧＰＳシステムを搭載していないユーザ端末１０を用いた場合であっても、また、ユーザ端末１０が屋内等のＧＰＳシステムの電波を受信できないエリアに存在する場合であっても、ユーザ端末１０に対して撮影した画像に関する情報を提供することができる。
【００２６】
なお、ユーザ端末１０の利用者がユーザ登録をする際に、ユーザが写っている画像を背景画像としてユーザ端末１０から情報提供装置３０に送信しておき、情報提供装置３０から動物の画像をユーザ端末１０に送信する際、ユーザ端末１０から送信されてきた背景画像と、データベース３５から検索された画像とを合成してユーザ端末１０に送信し、記念写真のように扱うことも考えられる。
【００２７】
また、ユーザ端末１０の利用者が、次に見たい動物の名前をユーザ端末１０から送信した場合、情報提供装置３０においては、その名前を中継したＦｅｍｔｏ基地局の位置情報に基づいてユーザ端末１０の現在の位置を特定できるため、ユーザ端末１０の現在の位置からその名前の動物が飼育されている位置までの経路情報をユーザ端末１０に送信することも考えられる。
【００２８】
また、情報提供装置３０からユーザ端末１０にクイズを送信し、そのクイズの回答に該当する動物の画像を送信させることに利用することもできる。
【００２９】
なお、本形態においては、Ｆｅｍｔｏ基地局２０―１〜２０-ｎが動物園の園内に設置されたものを例に挙げて説明したが、本発明の情報案内システムは、動物園に設置されるものに限らず、水族館や美術館、その他、複数の展示物が展示されている会場に設置することができる。
【符号の説明】
【００３０】
１０    ユーザ端末
２０−１〜２０−ｎ    Ｆｅｍｔｏ基地局
３０    情報提供装置
３１    利用者情報管理部
３２    画像認識部
３３    位置情報管理部
３４    制御部
３５    データベース
４０    ネットワーク
【図１】
2011129984.tif 000003
【図２】
2011129984.tif 000004